(57)【要約】【課題】  異なる資源びん収集方式を採用する地域を併合する際のコスト低減が可能な資源びんリサイクルシステム及び資源びんリサイクル方法を提供することを目的とする。【解決手段】  袋７内に収容された資源びんを受け入れる第１の受入れライン２（工程）と、コンテナ１３内に収容された資源びんを受け入れる第２の受入れライン３（工程）とを各々備え、これらの第１の受入れライン２と第２の受入れライン３との後段で、資源びんの色選別を行う処理ライン４（工程）を共通として、袋収集資源びんとコンテナ収集資源びんとを同一のライン４で処理し、資源びんの収集地域の併合の際に、資源びんの収集方式を変更する必要を無くす。【選択図】  図１
2006198584.tif 000002
【特許請求の範囲】
【請求項１】
収集された資源びんを色選別する処理ラインを備えた資源びんリサイクルシステムにおいて、
袋内に収容されて収集された資源びんを受け入れると共に、前記袋内の資源びんを前記処理ラインに導入する第１の受入れラインと、
コンテナ内に収容されて収集された資源びんを受け入れると共に、前記コンテナ内の資源びんを前記処理ラインに導入する第２の受入れラインと、を備えることを特徴とする資源びんリサイクルシステム。
【請求項２】
前記第１の受入れラインは、資源びんを収容した袋を破袋する破袋機を有し、
前記第２の受入れラインは、資源びんを収容したコンテナを反転させて前記資源びんを供するコンテナ反転装置を有することを特徴とする請求項１記載の資源びんリサイクルシステム。
【請求項３】
前記第２の受入れラインは、
資源びんを収容したコンテナを一時貯留する自動倉庫を有し、
前記第１の受入れラインから前記処理ラインへ資源びんが所定に導入されている場合に、前記第２の受入れラインから前記処理ラインへの資源びんの導入を停止して、前記コンテナを前記自動倉庫に一時貯留し、
前記第１の受入れラインから前記処理ラインへ資源びんが所定に導入されていない場合に、前記自動倉庫に一時貯留された前記コンテナ内の資源びんを前記処理ラインへ導入することを特徴とする請求項１又は２記載の資源びんリサイクルシステム。
【請求項４】
収集された資源びんを色選別する処理工程を備えた資源びんリサイクル方法において、
袋内に収容されて収集された資源びんを受け入れると共に、前記袋内の資源びんを前記処理工程に導入する第１の受入れ工程と、
コンテナ内に収容されて収集された資源びんを受け入れると共に、前記コンテナ内の資源びんを前記処理ラインに導入する第２の受入れ工程と、を備えることを特徴とする資源びんリサイクル方法。
【請求項５】
前記第２の受入れ工程は、
前記第１の受入れ工程から前記処理工程へ資源びんが所定に導入されている場合に、前記第２の受入れ工程から前記処理工程への資源びんの導入を停止して、前記コンテナを自動倉庫に一時貯留し、
前記第１の受入れ工程から前記処理工程へ資源びんが所定に導入されていない場合に、前記自動倉庫に一時貯留された前記コンテナ内の資源びんを前記処理工程へ導入する資源びん貯留・導入工程を含むことを特徴とする請求項４記載の資源びんリサイクル方法。
【発明の詳細な説明】
【技術分野】
【０００１】
本発明は、収集された資源びんを色選別する資源びんリサイクルシステム及び資源びんリサイクル方法に関する。
【背景技術】
【０００２】
従来、例えば家庭等から排出された資源びんは、集積場所に一時的に集められた後に、リサイクル施設に運び込まれ、色選別等の処理が行われて再使用・再利用される。このような資源びんの収集方式は、リサイクル施設を運営する自治体（地域）により異なり、資源びんを袋に収容して収集する袋収集方式や、資源びんをコンテナに収容して収集するコンテナ収集方式がある。そして、これらの収集方式に対応するように、リサイクル施設の受入れライン（工程）も各々異なる。
【０００３】
上記袋収集方式では、袋に収容された資源びんは、パッカー車（収集車両）に投入されてリサイクル施設に運搬される。リサイクル施設の受入れラインでは、袋収集された資源びんは、受入れホッパに投入されて、搬送手段で搬送された後に、破袋機によって袋が破られ、資源びんの色選別が行われる処理ライン（工程）に導入される（例えば、特許文献１参照）。
【０００４】
一方、コンテナ収集方式では、コンテナに収容された資源びんは、トラック等（収集車両）の荷台に積載されてリサイクル施設に運搬される。リサイクル施設の受入れラインでは、コンテナ収集された資源びんは、受入れヤードで一時貯留されて、搬送手段で搬送された後に、コンテナを反転させる自動反転装置によってコンテナが反転され、資源びんの色選別が行われる処理ライン（工程）に導入される。
【特許文献１】特開２００２−１１９９４３号公報
【発明の開示】
【発明が解決しようとする課題】
【０００５】
近年、自治体の合併やごみ処理地域の広域化により、異なる収集方式を採用していた地域の資源びんを１ヶ所のリサイクル施設で処理する事例が増えている。このような場合には、資源びんの収集方式を一方に統一していた。
【０００６】
例えば、袋収集方式に統一する場合にあっては、収集車両としてのパッカー車、リサイクル施設の受入れ設備としての受入れホッパ、破袋機等を新たに準備する必要がある。また、袋収集方式では、パッカー車や受入れホッパに資源びんを投入する際に、資源びんの一部が破損してしまい、資源びんの再生率・再生純度が悪化し、リサイクル率が低下するという問題があり、袋収集方式に統一すると、コンテナ収集方式から袋収集方式に変更された分の資源びんのリサイクル率が低下し、全体としてのリサイクル率が一層低下する。
【０００７】
一方、コンテナ収集方式に統一する場合にあっては、収集車両としてのトラック、リサイクル施設の受入れ設備としての自動反転装置、コンテナ等を新たに準備する必要がある。また、コンテナ収集方式では、トラックからのコンテナの荷卸を作業員によって行う場合には、作業員が必要となり、コンテナ収集方式に統一すると、作業員を増員する必要がある。
【０００８】
更に、何れの収集方式に統一する場合であっても、収集方式が変更となる地域の住民に対して収集方式の変更を事前に周知させるための広報活動が必要となり、そのための人員や機材が必要となるという問題がある。
【０００９】
このように異なる資源びん収集方式を採用する地域を併合する場合には、新たな費用が必要となるため、リサイクル施設を運営する自治体にとって、大きな負担となっていた。
【００１０】
本発明は、このような課題を解決するために成されたものであり、異なる資源びん収集方式を採用する地域を併合する際のコスト低減が可能な資源びんリサイクルシステム及び資源びんリサイクル方法を提供することを目的とする。
【課題を解決するための手段】
【００１１】
本発明による資源びんリサイクルシステムは、収集された資源びんを色選別する処理ラインを備えた資源びんリサイクルシステムにおいて、袋内に収容されて収集された資源びんを受け入れると共に、袋内の資源びんを処理ラインに導入する第１の受入れラインと、コンテナ内に収容されて収集された資源びんを受け入れると共に、コンテナ内の資源びんを処理ラインに導入する第２の受入れラインと、を備えることを特徴としている。
【００１２】
また、本発明による資源びんリサイクル方法は、収集された資源びんを色選別する処理工程を備えた資源びんリサイクル方法において、袋内に収容されて収集された資源びんを受け入れると共に、袋内の資源びんを処理工程に導入する第１の受入れ工程と、コンテナ内に収容されて収集された資源びんを受け入れると共に、コンテナ内の資源びんを処理ラインに導入する第２の受入れ工程と、を備えることを特徴としている。
【００１３】
このような資源びんリサイクルシステム及び資源びんリサイクル方法によれば、袋内に収容された資源びんを受け入れる第１の受入れライン（工程）と、コンテナ内に収容された資源びんを受け入れる第２の受入れライン（工程）とを各々備え、これらの第１の受入れラインと第２の受入れラインとの後段で、資源びんの色選別を行う処理ライン（工程）が共通とされているため、袋収集資源びんとコンテナ収集資源びんとを同一のラインで処理することができ、資源びんの収集地域の併合の際に、資源びんの収集方式を変更する必要がない。
【００１４】
ここで、第１の受入れラインは、資源びんを収容した袋を破袋する破袋機を有し、第２の受入れラインは、資源びんを収容したコンテナを反転させて資源びんを供するコンテナ反転装置を有する構成であると好ましい。
【００１５】
また、第２の受入れラインは、資源びんを収容したコンテナを一時貯留する自動倉庫を有し、第１の受入れラインから処理ラインへ資源びんが所定に導入されている場合に、第２の受入れラインから処理ラインへの資源びんの導入を停止して、コンテナを自動倉庫に一時貯留し、第１の受入れラインから処理ラインへ資源びんが所定に導入されていない場合に、自動倉庫に一時貯留されたコンテナ内の資源びんを処理ラインへ導入する構成であると、上記作用が効果的に奏されると共に、第１の受入れラインから処理ラインへ資源びんが導入されるタイミングと、第２の受入れラインから処理ラインへ資源びんが導入されるタイミングとが異なるため、第１の受入れラインから導入された資源びんと、第２の受入れラインから導入された資源びんとの衝突が無くなり、資源びんの損傷が防止される。また、コンテナ内に収容された資源びんを一時貯留することが可能なため、処理ラインに導入する資源びんの量を調節することができる。
【００１６】
また、第２の受入れ工程は、第１の受入れ工程から処理工程へ資源びんが所定に導入されている場合に、第２の受入れ工程から処理工程への資源びんの導入を停止して、コンテナを自動倉庫に一時貯留し、第１の受入れ工程から処理工程へ資源びんが所定に導入されていない場合に、自動倉庫に一時貯留されたコンテナ内の資源びんを処理工程へ導入する資源びん貯留・導入工程を含んでいると、上記作用が効果的に奏されると共に、第１の受入れ工程から処理工程へ資源びんが導入されるタイミングと、第２の受入れ工程から処理工程へ資源びんが導入されるタイミングとが異なるため、第１の受入れ工程から導入された資源びんと、第２の受入れ工程から導入された資源びんとの衝突が無くなり、資源びんの損傷が防止される。また、コンテナ内に収容された資源びんを一時貯留することが可能なため、処理工程に導入する資源びんの量を調節することができる。
【発明の効果】
【００１７】
本発明の資源びんリサイクルシステム及び資源びんリサイクル方法によれば、資源びんの収集方式を変更する必要がないため、異なる資源びん収集方式を採用する地域を併合する際のコスト低減が可能な資源びんリサイクルシステム及び資源びんリサイクル方法を提供することができる。さらに、従前の収集車両やコンテナ等の器材を有効利用することができ、従前の収集車両やコンテナ等の器材が無駄にならない。また、コンテナを自動倉庫に一時貯留する方式を採用する場合には、一時貯留したコンテナを人手を介することなく第２の受入れラインに復帰させることができる。
【発明を実施するための最良の形態】
【００１８】
以下、本発明による資源びんリサイクルシステムの好適な実施形態について図面を参照しながら説明する。なお、図面の説明において、同一または相当要素には同一の符号を付し、重複する説明は省略する。図１は、本発明の第１実施形態に係る資源びんリサイクルシステムを示す概略構成図である。
【００１９】
図１に示す資源びんリサイクルシステム１は、例えばリサイクル施設に採用され、家庭等から排出された資源びんの色選別に適用されるものである。通常、資源びんの収集方式は、資源びんを袋内に収容して収集する袋収集方式と、資源びんをコンテナ内に収容して収集するコンテナ収集方式とがあり、これらの収集方式は、リサイクル施設を運営する地方自治体により異なる。
【００２０】
資源びんリサイクルシステム１は、袋収集方式により袋内に収容されて収集された資源びん（袋収集資源びん）を受入れる第１の受入れライン２と、コンテナ収集方式によりコンテナ内に収容されて収集された資源びん（コンテナ収集資源びん）を受入れる第２の受入れライン３と、これらの第１の受入れライン２及び第２の受入れライン３から導入される資源びんを色選別する処理ライン４とを具備している。
【００２１】
第１の受入れライン２は、パッカー車５等によって運び込まれた袋収集資源びんを、袋７内に収容したまま受け入れる受入れホッパ６、この受入れホッパ６に連続して設けられ、袋７を搬送する搬送コンベヤ８、この搬送コンベヤ８によって搬送された袋７を破ると共に除去する破除袋機（破袋機）９を備えている。そして、この破除袋機９によって袋７が除去され外部に露出された資源びんは、後段の処理ライン４に導入される。
【００２２】
第２の受入れライン３は、トラック１０等によって運び込まれたコンテナ収集資源びんを、コンテナ１３内に収容したまま搬送する受入れコンベヤ１２、この受入れコンベヤ１２の後段に設けられ、コンテナ１３を上方に搬送する垂直搬送機１４、この垂直搬送機１４によって搬送されたコンテナ１３を反転させてコンテナ１３内の資源びんを供する自動反転装置１５を備えている。また、受入れコンベヤ１２の近傍には、トラック１０のコンテナを荷卸して受入れコンベヤ１２に供する作業員１１が配置されている。そして、自動反転装置１５によって、コンテナ１３外に放出された資源びんは、後段の処理ライン４に導入される。一方、空コンテナは、自動洗浄装置１７に導入されて洗浄されて再使用される。
【００２３】
処理ライン４は、第１の受入れライン２及び第２の受入れライン３から導入された資源びんＢを搬送する手選別コンベヤ１６、この手選別コンベヤ１６に沿って配置された複数の作業員によって色選別された資源びんを回収する貯留ヤード１８ａ〜１８ｄを備えている。資源びんＢは、白色（無色）、茶色、その他の色、不適物等の残渣に分類されて、貯留ヤード１８ａ〜１８ｄに各々回収される。
【００２４】
このように構成された資源びんリサイクルシステム１を用いた資源びんの色選別を行う資源びんリサイクル方法にあっては、先ず、第１の受入れ工程で、パッカー車５によって運び込まれた袋収集資源びんが、袋７に収容されたまま受入れホッパ６に投入され、搬送コンベヤ８によって搬送されて、破除袋機９に供給され、この破除袋機９で袋７が破られて除去され、袋７内の資源びんが手選別コンベヤ１６に導入される。
【００２５】
一方、第２の受入れ工程では、トラック１０によって運び込まれたコンテナ収集資源びんは、コンテナ１３に収容されたまま作業員１１によって荷卸され受入れコンベヤ１２に導入され、資源びんを収容したコンテナ１３は、受入れコンベヤ１２に連続する垂直搬送機１４により搬送されて、自動反転装置１５に供給され、この自動反転装置１５でコンテナ１３が反転されて、コンテナ１３内の資源びんが、手選別コンベヤ１６に導入される。一方、空コンテナは、自動洗浄装置１７に導入されて洗浄されて再使用される。
【００２６】
処理工程では、第１の受入れライン２及び第２の受入れライン３から導入された資源びんＢが、手選別コンベヤ１６により搬送され、各作業員によって色選別され、白色（無色）、茶色、その他の色、不適物等の残渣に分類されて、貯留ヤード１８ａ〜１８ｄに各々回収される。そして、回収された資源びんは、再使用・再利用されてリサイクルされる。
【００２７】
このように本実施形態によれば、袋７内に収容された資源びんを受け入れる第１の受入れライン２（工程）と、コンテナ１３内に収容された資源びんを受け入れる第２の受入れライン３（工程）との後段で、資源びんの色選別を行う処理ライン４（工程）が共通とされているため、袋収集資源びんとコンテナ収集資源びんとを同一のライン４で処理することができ、資源びんの収集地域の併合の際に、資源びんの収集方式を変更する必要がない。その結果、異なる資源びん収集方式を採用する地域を併合する際のコスト低減が可能な資源びんリサイクルシステム及び資源びんリサイクル方法を提供することができる。さらに、従前の収集車両やコンテナ等の器材を有効利用することができ、従前の収集車両やコンテナ等の器材が無駄にならない。
【００２８】
次に、本発明の第２実施形態に係る資源びんリサイクルシステム２１について、図２を参照しながら説明する。図２は、本発明の第２実施形態に係る資源びんリサイクルシステムを示す概略構成図である。この第２実施形態の資源びんリサイクルシステム２１が第１実施形態の資源びんリサイクルシステム１と違う点は、この資源びんリサイクルシステム２１の運転を制御する運転制御装置２４を備えた点と、第２の受入れライン３に代えて、資源びんを収容したコンテナ１３を一時貯留する自動倉庫２２を有する第２の受入れライン２３を用いた点である。
【００２９】
自動倉庫２２は、運転制御装置２４からの指示に基づいてコンテナ１３の入庫／出庫を行い、コンテナ１３を入庫する場合には、受入れコンベヤ１２によって搬送されたコンテナ１３を自動倉庫２２内に入庫し、コンテナ１３を出庫する場合には、自動倉庫２２内のコンテナ１３を自動反転装置１５に供給するものである。この自動倉庫２２は、密閉可能な構造とされ、自動倉庫２２外への悪臭及び虫等の発生を防止することができる。
【００３０】
運転制御装置２４は、第１の受入れライン２から処理ライン４への資源びんの導入に関する情報を取得する検出センサ２５、この検出センサ２５からの情報に基づいて、第２の受入れライン２３から処理ライン４へ資源びんを導入するか否かを判定する制御手段２６を有している。
【００３１】
検出センサ２５は、例えば搬送コンベヤ８の終端部等に設けられ、資源びんを収容した袋７の通過を検知するものである。
【００３２】
制御手段２６は、検出センサ２５、受入れコンベヤ１２、垂直搬送機１４、自動反転装置１５及び自動倉庫２２に接続され、これらの受入れコンベヤ１２、垂直搬送機１４、自動反転装置１５及び自動倉庫２２を制御するものである。具体的には、検出センサ２５で袋７の通過を所定時間内に検知した場合（所定に導入されている場合）には、第１の受入れライン２から処理ライン４への資源びんの導入が行われていると判断し、垂直搬送機１４及び自動反転装置１５を停止して、第２の受入れライン２３から処理ライン４への資源びんの導入を停止すると共に、自動倉庫２２を稼動させ、受入れコンベヤ１２によって搬送されたコンテナ１３を自動倉庫２２に入庫させ一時貯留させる。一方、検出センサ２５で袋７の通過を所定時間検知しない場合（所定に導入されていない場合）には、第１の受入れライン２から処理ライン４への資源びんの導入が行われていないと判断し、自動反転装置１５及び自動倉庫２２を稼動させ、自動倉庫２２内のコンテナ１３を出庫して自動反転装置１５に供給し、第２の受入れライン２３から処理ライン４へ資源びんの導入を行う。
【００３３】
このように構成された資源びんリサイクルシステム２１を用いた資源びんＢの色選別を行う資源びんリサイクル方法にあっては、第２の受入れ工程において、資源びん貯留・導入工程に従って、第１の受入れ工程から処理工程へ資源びんが所定に導入されている場合には、第２の受入れ工程から処理工程への資源びんの導入を停止して、コンテナ１３を自動倉庫２２に一時貯留し、第１の受入れ工程から処理工程へ資源びんが所定に導入されていない場合には、自動倉庫２２に一時貯留されたコンテナ１３内の資源びんを処理工程へ導入する。
【００３４】
このように構成しても第１実施形態と同様の効果を得ることができ、加えて、第１の受入れライン２（工程）から処理ライン４（工程）へ資源びんが導入されるタイミングと、第２の受入れライン２３（工程）から処理ライン４へ資源びんが導入されるタイミングとが異なるため、第１の受入れライン２から導入された資源びんと、第２の受入れライン２３から導入された資源びんとの衝突が無くなり、資源びんの損傷が防止される。また、コンテナ１３内に収容された資源びんを一時貯留することが可能なため、処理ライン４に導入する資源びんの量を調節することができる。また、自動倉庫２２を備えているため、一時貯留したコンテナを人手を介すことなく第２の受入れライン２３に復帰させることができる。
【００３５】
なお、第２実施形態において、資源びんリサイクルシステム２１の運転制御を運転制御装置２４によって行う構成としているが、作業員が資源びんリサイクルシステム２１の運転制御を行う構成としてもよい。
【００３６】
以上、本発明をその実施形態に基づき具体的に説明したが、本発明は、上記実施形態に限定されるものではない。上記実施形態においては、資源びんを収容した袋７、コンテナ１３を資源びんリサイクルシステム１，２１に導入して、資源びんの色選別を行っているが、処理ライン４において、鉄・アルミ選別機、ペットボトル貯留ヤード、缶貯留ヤードを備え、資源びんと共に、缶、ペットボトル等を収容した袋やコンテナを導入して、缶・ペットボトルの選別を併せて行う構成としても良い。
【図面の簡単な説明】
【００３７】
【図１】本発明の第１実施形態に係る資源びんリサイクルシステムを示す概略構成図である。
【図２】本発明の第２実施形態に係る資源びんリサイクルシステムを示す概略構成図である。
【符号の説明】
【００３８】
１，２１…資源びんリサイクルシステム、２…第１の受入れライン、３，２３…第２の受入れライン、４…処理ライン、７…袋、９…破除袋機（破袋機）、１３…コンテナ、１５…自動反転装置、２２…自動倉庫、Ｂ…資源びん。
【図１】
2006198584.tif 000003
【図２】
2006198584.tif 000004